(57)【要約】【課題】  金融機関の振込を行う場合に、振込元金融機関口座から振込先金融機関口座への直接振込に要する振込手数料よりも、より安い振込経路を調査することができる【解決手段】  振込依頼者が、起点振込元金融機関口座から目標振込先金融機関口座に振込を行う場合の、振込金額に応じた振込手数料の変化や、貯蓄額や借入額による手数料優遇サービスや無料振込手数料制限回数等の振込手数料変動条件により、振込手数料が最も安くなる振込経路を提示し、また金融機関における提携や差別化による振込手数料や振込手数料変動条件の変化に応じて、適宜に振込依頼者の振込情報に合わせた振込手数料が最も安くなる振込経路の更新情報を提示する金融機関振込手数料最安経路調査システムを提供する。【選択図】図２
2012018655.tif 000002
【特許請求の範囲】
【請求項１】
金融機関の振込に関して、振込依頼者の振込元金融機関口座である起点振込元金融機関口座から振込の最終目標となる目標振込先金融機関口座への振込手数料が最も安くなる振込経路を調査する方法であって、振込元金融機関口座、振込先金融機関口座、振込金額、振込手段、振込手数料変動条件、振込手数料から構成される振込手数料ファイルを予め作成し記憶する段階と、端末から利用者の起点振込元金融機関口座、目標振込先金融機関口座、振込金額、利用者振込手数料変動条件が入力される段階と、端末からの入力と振込手数料ファイルに基づいて、起点振込元金融機関口座から目標振込先金融機関口座に直接振込を行った場合の直接振込手数料を算出する段階と、直接の振込経路以外の別の金融機関口座を経由した場合やＡＴＭやインターネットバンキング等の異なる振込手段を使った場合、起点振込元金融機関口座の貯蓄額や借入額による手数料優遇サービスや無料振込手数料制限回数等の振込手数料変動条件がある場合の振込手数料を算出する段階と、前記直接振込を行った場合の直接振込手数料とを比較し、振込手数料が最も安くなる振込経路を特定する段階と、特定された振込経路と振込手数料を端末に対して出力する段階とを備えることを特徴とする金融機関振込手数料最安経路調査システム。
【請求項２】
利用者が端末からの入力により登録した利用者識別子、利用者パスワード、利用者メールアドレス、１つ以上の起点振込元金融機口座と利用者振込手数料変動条件、１つ以上の目標振込先金融機関口座と振込金額、１つ以上の決定振込経路を利用者ファイルとして記憶する段階と、利用者が端末からの入力により目標振込先金融機関口座や振込金額を追加したり削除したり、利用者振込手数料変動条件を変更することで利用者ファイルを更新する段階と、更新された利用者ファイルと振込手数料ファイルに基づいて、振込手数料が最も安くなる更新振込経路を特定する段階と、以前に登録した決定振込経路と更新振込経路を比較し、振込手数料が最も安い振込経路が変わっていないかを特定する段階と、特定された最も安い振込経路と振込手数料を端末に対して出力する段階とを備えることを特徴とする請求項１に記載の金融機関振込手数料最安経路調査システム。
【請求項３】
金融機関同士の提携やサービス変更により振込手数料の変更または振込手数料変動条件等が変更になった場合に、オペレータが使用する管理端末から振込元金融機関口座、振込先金融機関口座、振込金額、振込手段、振込手数料変動条件、振込手数料を入力することで振込手数料ファイルを更新する段階と、管理端末の入力より更新された振込手数料ファイルと利用者が登録した利用者ファイルの内容に基づいて、利用者毎に振込手数料が最も安い振込経路を算出し、算出された更新振込経路と利用者により登録済みの決定振込経路と比較して、振込手数料が最も安い振込経路が変わっていないかを特定する段階と、決定振込経路より更新振込経路の振込手数料が安い場合に、更新振込経路と振込手数料を電子メールにて利用者に通知する段階とを備えることを特徴とする請求項１または２に記載の金融機関振込手数料最安経路調査システム。
【発明の詳細な説明】
【技術分野】
【０００１】  本発明は、金融機関の振込手数料に関する情報を統合して、振込を実施する場合の最も安くなる振込経路を調査する金融機関振込手数料最安経路調査システム、及び振込依頼者に適時に振込手数料が最も安くなる振込経路情報を提供する金融機関振込手数料最安経路調査システムに関するものである。
【背景技術】
【０００２】  銀行等の金融機関に対する振込の手数料は、金融機関毎に手数料が異なっており、振込手数料を安く抑えるには、振込手数料が安い金融機関に対して口座を開設し、その口座を振込元として直接振込先の金融機関へ振込を実施する方法が知られている。このため、振込手数料を安く抑えるために、振込依頼者が保有する複数口座から最も振込手数料が安い口座を選択する方法があり、このような振込元口座を選択する技術が開発されている（例えば、特許文献１及び特許文献２参照。）。
【先行技術文献】
【特許文献】
【０００３】
【特許文献１】特開２００６−１１４００３
【特許文献２】特開２００３−３０３２８４
【発明の概要】
【発明が解決しようとする課題】
【０００４】  振込手数料を安く抑えるためには、振込手数料が安い金融機関に口座を開設することが知られているが、特に給与所得者の場合は、振込元となる給与が振り込まれる給与口座は勤務先の企業により選定されてしまっている場合が多く、振込手数料が安い口座を開設した場合でも、給与が振り込まれる給与口座から、振込手数料が安い口座に資金を移動する手間や資金移動時の振込手数料等が発生し、場合によっては余計な振込手数料を支払う場合もあった。ところで近年、銀行等の金融機関の提携が進んだことにより、ある金融機関から提携先の金融機関に振込を行う場合は、振込手数料が他の金融機関への振込手数料に比べて安くなることがある。また、金融機関のサービス差別化により、一定回数までは振込手数料が無料になったり、貯蓄額や住宅ローン借入額等の条件によって振込手数料が優遇されたりすることもある。【０００５】  このような状況では、必ずしも振込依頼者の振込元金融機関口座である起点振込元金融機関口座から振込の最終目標となる目標振込先金融機関口座に直接振込を行うことが振込手数料を最も安くする振込経路とは言い切れなくなり、起点振込元金融機関口座から別の金融機関口座を経由して目標振込先金融機関口座に振込を行った方が振込手数料を安くできる場合がある。【０００６】  この具体例を、図６を用いて説明する。図６に示すように、銀行「Ａ」から５万円を銀行「Ｂ」に振込を行う場合を想定する。この例では、銀行「Ａ」から銀行「Ｂ」に５万円の振込を行った場合に、振込手数料は３１５円となる。一方で、銀行「Ａ」から提携先銀行「Ｃ」を経由した場合には、銀行「Ａ」から銀行「Ｃ」への５万円の振込手数料は無料であり、銀行「Ｃ」から銀行「Ｂ」への５万円の振込手数料は２１０円となり、目標振込先金融機関口座である銀行「Ｃ」への振込手数料は計２１０円となり、直接振込を行った場合よりも、１０５円安くなる。このように、起点振込元金融機関口座から目標振込先金融機関口座への振込には、直接経路以外の他金融機関を経由することで振込手数料を安くすることができる場合がある。【０００７】  また、金融機関への振込を行う際の経路には、インターネットバンキングを使ったオンラインによるものやＡＴＭを使った方法等振込手段による振込経路も複数存在する。インターネットバンキングを使用した振込が一般的に振込手数料が安くなると知られているが、起点振込元金融機関口座と目標振込先金融機関口座の振込手数料によっては、他の振込手段を使用した振込経路の方が振込手数料を安くできる場合がある。【０００８】  この具体例を、図７を用いて説明する。図７に示すように、銀行「Ｄ」から５万円を銀行「Ｅ」に振込を行う場合を想定する。この例で、インターネットバンキングを使用して銀行「Ｄ」から５万円を銀行「Ｅ」に振込を行った場合、振込手数料は４２０円となる。また、銀行「Ｄ」のＡＴＭでキャッシュカードを使用して、銀行「Ｅ」に５万円の振込を行った場合も振込手数料は４２０円である。一方で、銀行「Ｅ」のＡＴＭで銀行「Ｄ」のキャッシュカードを使用して振込を行った場合、振込手数料２１０円とＡＴＭ利用手数料１０５円となり、振込手数料の合計は３１５円となる。このように��振込手段を変更した振込経路の方が振込手数料を安くすることができる場合がある。【０００９】  しかしながら、多数の振込依頼者は、目標とする振込先金融機関口座への振込に別の金融機関口座を経由して振込を行うことの方が振込手数料を安くできるということを知らない場合があり、知っていた場合でも金融機関口座の振込手数料を手作業で調べて検討し振込手数料を安く抑えるようにするには多大な時間と労力を要するといった問題がある。また、保有する起点振込元金融機関口座の貯蓄額や借入額による手数料優遇サービスや無料振込手数料制限回数等の振込手数料変動条件を考慮して、振込手数料を安く抑える方法を検討するのは時間と労力から非常に困難であるという問題がある。また、金融機関口座への振込は、インターネットショッピング、インターネットオークションの購入の決済処理に使用されており、振込依頼者は多くの異なる金融機関口座への振込を多数実施する機会があり、その都度手作業で振込手数料が安くなる振込経路を検討するのは非常に困難であり現実的ではないという問題がある。さらに、近年ではしばしば金融機関の統廃合や提携が進んでおり、しばしばサービス変更により振込手数料や振込手数料変動条件が変更され、振込手数料が最も安くなる金融機関口座の振込経路もしばしば変わることとなり、振込依頼者が、適宜に振込手数料が最も安い振込経路を知ることが難しい問題がある。【００１０】  本発明は、このような振込依頼者に対して生じさせている問題を解決するために、振込依頼者が、起点振込元金融機関口座から目標振込先金融機関口座に振込を行う場合の、振込金額に応じた振込手数料の変化や、貯蓄額や借入額による手数料優遇サービスや無料振込手数料制限回数等の振込手数料変動条件により、振込手数料が最も安くなる振込経路を提示し、また金融機関における提携や差別化による振込手数料や振込手数料変動条件の変化に応じて、適宜に振込依頼者の振込情報に合わせた振込手数料が最も安くなる振込経路の更新情報を提示する金融機関振込手数料最安経路調査システムを提供することを目的とする。
【課題を解決するための手段】
【００１１】上述した問題を解決するために、請求項１に記載の発明にあっては、金融機関の振込に関して、振込依頼者の振込元金融機関口座である起点振込元金融機関口座から振込の最終目標となる目標振込先金融機関口座への振込手数料が最も安くなる振込経路を調査する方法であって、振込元金融機関口座、振込先金融機関口座、振込金額、振込手段、振込手数料変動条件、振込手数料から構成される振込手数料ファイルを予め作成し記憶する段階と、端末から利用者の起点振込元金融機関口座、目標振込先金融機関口座、振込金額、利用者振込手数料変動条件が入力される段階と、端末からの入力と振込手数料ファイルに基づいて、起点振込元金融機関口座から目標振込先金融機関口座に直接振込を行った場合の直接振込手数料を算出する段階と、直接の振込経路以外の別の金融機関口座を経由した場合やＡＴＭやインターネットバンキング等の異なる振込手段を使った場合、起点振込元金融機関口座の貯蓄額や借入額による手数料優遇サービスや無料振込手数料制限回数等の振込手数料変動条件がある場合の振込手数料を算出する段階と、前記直接振込を行った場合の直接振込手数料とを比較し、振込手数料が最も安くなる振込経路を特定する段階と、特定された振込経路と振込手数料を端末に対して出力する段階とを備えることを特徴とする。【００１２】  請求項２に記載の発明にあっては、利用者が端末からの入力により登録した利用者識別子、利用者パスワード、利用者メールアドレス、１つ以上の起点振込元金融機口座と利用者振込手数料変動条件、１つ以上の目標振込先金融機関口座と振込金額、１つ以上の決定振込経路を利用者ファイルとして記憶する段階と、利用者が端末からの入力により目標振込先金融機関口座や振込金額を追加したり削除したり、利用者振込手数料変動条件を変更することで利用者ファイルを更新する段階と、更新された利用者ファイルと振込手数料ファイルに基づいて、振込手数料が最も安くなる更新振込経路を特定する段階と、以前に登録した決定振込経路と更新振込経路を比較し、振込手数料が最も安い振込経路が変わっていないかを特定する段階と、特定された最も安い振込経路と振込手数料を端末に対して出力する段階とを備えることを特徴とする。【００１３】  請求項３に記載の発明にあっては、金融機関同士の提携やサービス変更により振込手数料の変更または振込手数料変動条件等が変更になった場合に、オペレータが使用する管理端末から振込元金融機関口座、振込先金融機関口座、振込金額、振込手段、振込手数料変動条件、振込手数料を入力することで振込手数料ファイルを更新する段階と、管理端末の入力より更新された振込手数料ファイルと利用者が登録した利用者ファイルの内容に基づいて、利用者毎に振込手数料が最も安い振込経路を算出し、算出された更新振込経路と利用者により登録済みの決定振込経路と比較して、振込手数料が最も安い振込経路が変わっていないかを特定する段階と、決定振込経路より更新振込経路の振込手数料が安い場合に、更新振込経路と振込手数料を電子メールにて利用者に通知する段階とを備えることを特徴とする。
【発明の効果】
【００１４】  本発明によれば、起点振込元金融機関口座から目標振込先金融機関口座への振り込みに関して、振込手数料が最も安くなる振込経路を自動的に調査することが可能となる。さらに、利用者が起点振込元金融機関口座、目標振込先金融機関口座、振込金額、利用者振込手数料変動条件、決定振込経路、利用者識別子、利用者パスワード、利用者メールアドレスを登録することで、目標振込先金融機関口座や振込金額を追加したり削除したり、利用者振込手数料変動条件を変更した場合に、振込手数料が最も安くなる更新振込経路を効率的に把握することが可能である。また、金融機関同士の提携やサービス変更により振込手数料や振込手数料変動条件等が変更になった場合に、適宜に振込手数料が最も安くなる更新振込経路の情報を利用者が電子メールにより受け取ることが可能となる。
【図面の簡単な説明】
【００１５】
【図１】本発明の実施に係わる金融機関振込手数料最安経路調査システムの構成例を示すブロック図である。
【図２】金融機関振込手数料最安経路調査システムのサーバの構成を示すブロック図である。
【図３】金融機関振込手数料最安経路調査の処理動作を示すフローチャートである、
【図４】金融機関振込手数料最安経路調査の利用者情報登録または更新による処理動作を示すフローチャートである。
【図５】金融機関振込手数料最安経路調査の金融機関条件変更による処理動作を示すフローチャートである。
【図６】金融機関振込手数料における振込経路と振込手数料の例を説明するための説明図である。
【図７】金融機関振込手数料における振込依頼経路と振込手数料の例を説明するための説明図である。
【発明を実施するため形態】
【００１６】  以下に、本発明を実施するための形態について図面を参照しながら説明する。
【００１７】  図１は、本発明の実施の形態に係わる金融機関振込手数料最安経路調査システムの構成を示すブロック図である。この図において、符号１０はサーバであり、インターネット等のネットワーク３０に接続されている。符号２０はサーバ１０を管理するオペレータが使用する管理端末であり、サーバ１０と同様にネットワーク３０に接続される。ここで、管理端末２０は、ＣＲＴやＬＣＤ等の表示部とともに、キーボード、マウス等の入力部を有する。符号４０、４１、４２は利用者が振込手数料最安経路調査の要求を行う場合に使用する端末であり、サーバ１０と同様にネットワーク３０に接続される。ここで、端末４０、４１、４２は、それぞれＣＲＴやＬＣＤ等の表示部とともに、キーボード、マウス等の入力部を有する。
【００１８】  次にサーバ１０の構成について説明する。図２は、サーバ１０の構成を示すブロック図である。この図において、符号１１は制御手段であり、ＣＰＵ等から構成され、種々の演算、データの転送、データの一時的な格納等を行う。符号１２は入力制御手段であり、ネットワークを介して接続された管理端末または端末から入力されたデータを制御する。符号１３は出力手段であり、管理端末または端末に出力されるデータを制御する。符号１４、１５、１６は記憶手段であり、それぞれ以下のファイルが格納、記憶されている。
【００１９】  記憶手段１４にはメインプログラムが格納、記憶されている。このメインプログラムは、制御手段１１において用いられるものであり、例えば端末の表示部に画面を表示させるプログラムや、振込経路検索により必要な情報を得るための検索用プログラム等から構成されている。また、この記憶手段には、管理端末２０から送信されてきた振込手数料ファイル更新情報や端末４０、４１、４２から送信されてきた金融機関振込手数料最安経路調査のための入力情報等の情報が一時的に格納される。
【００２０】  記憶手段１５には振込手数料ファイルが格納、記憶されている。振込手数料ファイルは、振込元金融機関口座、振込先金融機関口座、振込金額、振込手段、振込手数料変動条件、振込手数料から構成されている。このうち振込元金融機関口座と振込先金融機関口座は、金融機関種別と金融機関名称と金融機関店舗情報が格納される。振込手段には、インターネットバンキングを使用したオンライン手続きや、ＡＴＭを使用した手続き、窓口を使用した手続き等振込を行う際の手続き経路情報が格納される。また、振込金額については、３万円以下や３万円を超える場合等振込手数料が変動する振込金額の情報が格納される。振込手数料変動条件については、貯蓄額や住宅ローン等の借り入れ金額等の金融機関が定めた振込手数料が優遇される条件や振込手数料無料回数制限情報等の条件が格納されている。振込手数料は、振込元金融機関口座から振込先金融機関口座への振込金額、振込手段、振込手数料変動条件、ＡＴＭ使用手数料等のその他手数料を加味した場合の振込手数料が格納される。
【００２１】  記憶手段１６には利用者ファイルが格納、記憶されている。利用者ファイルは、金融機関振込手数料最安経路調査システムへの会員登録が行われた際に設定される。利用者ファイルは、利用者識別子、利用者パスワード、利用者メールアドレス、１つ以上の起点振込元金融機口座と利用者振込手数料変動条件、１つ以上の目標振込先金融機関口座と振込金額、１つ以上の決定振込経路から構成されている。このうち利用者識別子、利用者パスワードは利用者を特定するための情報及び利用者の認証を行う際に用いられる。利用者メールアドレスは、金融機関振込手数料最安経路調査の更新結果を適宜電子メールで通知するために用いられる。利用者振込手数料変動条件は、利用者が登録した起点振込元金融機関口座の貯蓄額や借り入れ金額等の利用者の金融機関口座の状況により変動する振込手数料変動条件が格納される。起点振込元金融機関口座と目標振込先金融機関口座は、金融機関種別と金融機関名称と金融機関店舗情報が格納される。決定振込経路には、利用者が登録した起点振込元金融機関口座から目標振込先金融機関口座への振込経路が格納される。
【００２２】  次に本実施形態の動作について説明する。ここで端末４０、４１、４２は、それぞれサーバ１０と接続されて通信を行い、いずれも利用者の端末として機能するが、説明便宜上、サーバ１０には、端末４０が接続されたとして、以下説明を行う。サーバ１０に端末４０または管理端末２０が接続されると、制御手段１１は、この接続を入力制御手段１２を介して検知し、メインプログラムに従って端末４０または管理端末２０を制御する。
【００２３】  ここでは、まず、利用者から要求された金融機関振込手数料最安経路調査の処理動作を図３のステップに基づいて実行する。制御手段１１は、端末４０の表示部に対して金融機関振込手数料最安経路調査のための入力画面を表示する。図３のステップ１０１では、端末４０を用いて利用者が、起点振込元金融機関口座、目標振込先金融機関口座、振込金額、利用者振込手数料変動条件を入力する。端末４０は利用者の入力情報をサーバ１０に送信する。端末４０からの入力情報を検知した入力制御手段１２は、制御手段１１に端末４０からの入力情報を渡す。
【００２４】  図３のステップ１０２では、制御手段１１により、端末４０の入力情報を元に、振込手数料ファイルから、起点振込元金融機関口座から目標振込先金融機関口座への直接振込を行った場合の最も安い振込手数料を検索する。この際の検索には、起点振込元金融機関口座から目標振込先金融機関口座への振込手段、振込金額、振込手数料変動条件を加味して行う。
【００２５】  図３のステップ１０３では、制御手段１１により、端末４０の入力情報を元に、振込手数料ファイルから、起点振込元金融機関口座から目標振込先金融機関口座以外の別の金融機関口座への振込手数料を検索する。この際の検索には、振込手段、振込金額、振込手数料変動条件を加味して行う。制御手段１１は、別の金融機関口座への振込手数料の検索結果のうち、図３のステップ１０２で検索された振込手数料よりも安い金額となった検索結果の振込経路について、さらに別の金融機関口座への振込手数料を検索する。この際の検索には、振込手段、振込金額、振込手数料変動条件を加味して行う。この検索は、検索の結果発見された振込手数料の合計が、図３のステップ１０２で検索された振込手数料よりも安い金額である限りにおいて続けられる。制御手段１１は、この検索処理により発見された別の金融機関口座から目標振込先金融機関口座への振込手数料を検索する。この際の検索には、振込手段、振込金額、振込手数料変動条件を加味して行う。
【００２６】  図３のステップ１０４では、制御手段１１により、図３のステップ１０３で処理された起点振込元金融機関口座から別の金融機関口座を経由して目標振込先金融機関口座に振込を行う振込経路の結果のうち、図３のステップ１０２で検索された振込手数料より安い振込手数料である振込経路の検索を行う。図３のステップ１０２より安い振込手数料の振込経路が存在しない場合は、検索結果は、図３のステップ１０２の検索結果として処理を行う。
【００２７】  図３のステップ１０５では、制御手段１１により、図３のステップ１０４で検索された結果を元に、振込手数料が安くなる振込経路、振込手数料の結果を安い順から出力する。制御手段１１は、出力制御手段１３を介して端末４０上に金融機関振込手数料最安経路調査の結果画面を表示する。
【００２８】  以上、図３のステップに基づいて、利用者から要求された金融機関振込手数料最安経路調査の処理を実行することで、利用者は、端末４０上で、振込手数料が最も安くなる振込経路を効率的に入手することができる。
【００２９】  次に、金融機関振込手数料最安経路調査システムの会員となった利用者が、利用者自身の起点振込元金融機関口座、目標振込先金融機関口座、振込金額、利用者振込手数料変動条件を登録または更新した場合の金融機関振込手数料最安経路調査の利用者情報登録または更新による処理動作について図４のステップに基づいて実行する。制御手段１１は、端末４０の表示部に対して金融機関振込手数料最安経路調査システムのログイン画面を表示する。図４のステップ１１１では、端末４０を用いて会員登録済み利用者が、金融機関振込手数料最安経路調査システムの利用者識別子と利用者パスワードを入力する。端末４０は利用者の入力情報をサーバ１０に送信する。端末４０からの入力情報を検知した入力制御手段１２は、制御手段１１に端末４０からの入力情報を渡す。制御手段１１は、端末４０からの入力情報と利用者ファイルに登録された利用者識別子と利用者パスワードを比較して利用者認証の処理を行う。
【００３０】  図４のステップ１１２では、認証された利用者に対して、制御手段１１は、利用者ファイルから登録済みの起点振込元金融機関口座と利用者振込手数料変動条件、目標振込先金融機関口座と振込金額、決定振込経路を出力する。これらの情報に関して、利用者が事前に登録している場合は、制御手段１１が利用者ファイルからこれらの情報の読み出しを行い、出力制御手段１３を介して端末４０上に登録済み利用者情報として画面を表示する。
【００３１】  図４のステップ１１３では、登録情報の登録または更新を行う。利用者は端末４０から、新規に登録する起点振込元金融機関口座や利用者振込手数料変動条件、目標振込先金融機関口座と振込金額等の登録情報を入力する。また、登録済み利用者情報のうち、変更がある情報については、更新情報として入力する。更新情報は、例えば、起点振込元金融機関に関する利用者振込手数料変動条件等である。端末４０は利用者の入力情報をサーバ１０に送信する。端末４０からの入力情報を検知した入力制御手段１２は、制御手段１１に端末４０からの入力情報を渡す。制御手段１１は、端末４０の入力情報を元に、利用者ファイルへの登録または更新処理を行う。
【００３２】  図４のステップ１１４では、制御手段１１により、更新された利用者ファイルに基づいて金融機関振込手数料最安経路調査の処理を実施する。金融機関振込手数料最安経路調査の処理は図３のステップに基づいて処理される。ここでは、図３のステップ１０１の入力処理は、制御手段１１により、登録または更新された利用者ファイルの情報を元に処理を行う。また、図３のステップ１０５の出力結果は、記憶手段１４のメインプログラムに更新振込経路として一時的に格納される。
【００３３】  図４のステップ１１５では、制御手段１１により、図４のステップ１１４で一時的に格納された更新振込経路と利用者ファイルに登録済みの決定振込経路を比較して、更新振込経路が決定振込経路より安い場合に、振込手数料が安くなる更新振込経路、振込手数料の結果を安い順から出力する。制御手段１１は、出力制御手段１３を介して端末４０上に決定振込経路と更新振込経路の画面を表示する。
【００３４】  図４のステップ１１６では、図４のステップ１１５の結果を受けて、利用者が利用者自身にとって最適となる振込経路を決定振込経路として登録情報を入力する。端末４０は利用者の入力情報をサーバ１０に送信する。端末４０からの入力情報を検知した入力制御手段１２は、制御手段１１に端末４０からの入力情報を渡す。制御手段１１は、端末４０の入力情報を利用者ファイルの決定振込経路として登録または更新する。
【００３５】  以上、図４のステップに基づいて、会員登録した利用者は、利用者の起点振込元金融機関口座と利用者振込手数料変動条件、目標振込先金融機関口座と振込金額、決定振込経路を登録し目標振込先金融機関の変更や起点振込元金融機関口座の利用者振込手数料変動条件等の情報の変更を行い、金融機関振込手数料最安経路調査の利用者情報登録または更新による処理を実行することで、利用者は、端末４０上で、適宜に振込手数料が最も安くなる振込経路を効率的に入手することができる。
【００３６】  次に、金融機関同士の提携やサービス変更により振込手数料が変更した場合や振込手数料変動条件等が変更になった場合に、金融機関振込手数料最安経路調査システムの管理を行うオペレータが振込手数料ファイルを更新する場合の金融機関振込手数料最安経路調査の金融機関条件変更による処理動作について図５のステップに基づいて実行する。制御手段１１は、管理端末２０の表示部に対して、振込手数料ファイルの更新のための入力画面を表示する。図５のステップ１２１では、管理端末２０を用いてオペレータが更新された振込元金融機関口座、振込先金融機関口座、振込金額、振込手段、振込手数料変動条件、振込手数料の情報を入力する。管理端末２０は、オペレータの入力情報をサーバ１０に送信する。管理端末２０からの入力情報を検知した入力制御手段１２は、制御手段１１に管理端末２０からの入力情報を渡す。制御手段１１は、管理端末２０からの入力情報を元に、振込手数料ファイルを更新する。
【００３７】  図５のステップ１２２では、制御手段１１により、更新された振込手数料ファイルと利用者ファイルに登録されている起点振込元金融機口座と振込手数料変動条件、目標振込先金融機関口座と振込金額を元に、利用者毎に金融機関振込手数料最安経路調査の処理を実施する。金融機関振込手数料最安経路調査の処理は図３のステップに基づいて処理される。ここでは、図３のステップ１０１の入力処理は、制御手段１１により、登録済みの利用者ファイルの情報を元に処理を行う。また、図３のステップ１０５の出力結果は、記憶手段１４のメインプログラムに更新振込経路として一時的に格納される。
【００３８】  図５のステップ１２３では、制御手段１１により、図５のステップ１２２で処理された更新振込経路と利用者ファイルに登録されている決定振込経路を比較する。
【００３９】  図５のステップ１２４では、制御手段１１により更新振込経路が決定振込経路より安い場合に、利用者ファイルに登録されている利用者のメールアドレスに対して、登録済みの決定振込経路と振込手数料が最も安い更新振込経路と振込手数料を電子メールにて送信する。電子メールは制御手段１１により出力制御手段１３を介して端末４０に送信される。
【００４０】  以上、図５のステップに基づいて、金融機関同士の提携やサービス変更による振込手数料、振込手数料変動条件をオペレータが適宜管理端末から振込手数料ファイルを更新することによる金融機関振込手数料最安経路調査の金融機関条件変更による処理を実行することで、利用者は電子メールによって、適宜に振込手数料が最も安くなる振込経路を効率的に入手することができる。
【符号の説明】
【００４１】  １０‥‥サーバ、１１‥‥制御手段、１２‥‥入力制御手段、１３‥‥出力制御手段、１４‥‥メインプログラムとしての記憶手段、１５‥‥振込手数料ファイルとしての記憶手段、１６‥‥利用者ファイルとしての記憶手段、２０‥‥管理端末、３０‥‥ネットワーク、４０〜４２‥‥端末
【図１】
2012018655.tif 000003
【図２】
2012018655.tif 000004
【図３】
2012018655.tif 000005
【図４】
2012018655.tif 000006
【図５】
2012018655.tif 000007
【図６】
2012018655.tif 000008
【図７】
2012018655.tif 000009